(57)【要約】データの送信のためアクセス機構を割り当てる方法は、データの複数の構成要素をクラスに分類するステップ、及び特定のパラメータ、又はそれによりデータ構成要素がクラスに分類されるデータ構成要素の１組のパラメータに関するアクセス機構の適合度に従ってこれらのデータ構成要素を個々に特定のアクセス機構に割り当てるステップを備える。
2004507930.tif 000002
【特許請求の範囲】
【請求項１】
送信側と受信側との間で送信されるべきデータに対してアクセス機構を割り当てる方法において、
１組のアクセス機構のそれぞれを少なくとも１つのパラメータに従って等級分けするステップと、
データの複数の構成要素を、前記少なくとも１つのパラメータに関するアクセス機構の品質要件に従ってクラスに分類するステップと、
前記の複数のデータ構成要素のそれぞれが属するクラスをアクセス機構の等級分けに整合させるステップと、
前記の整合の結果に従って、前記の複数のデータ構成要素の第１のものを第１のアクセス機構に割り当てるステップと、
前記の整合の結果に従って、前記の複数のデータ構成要素の少なくとも第２のものを第２のアクセス機構に割り当てるステップと
を備える方法。
【請求項２】
前記アクセス機構は、信号対雑音比、信号対干渉比、信号対雑音プラス干渉比、信頼度、データ速度、帯域幅、遅延及び占有度のうちの少なくとも１つに従って等級分けされる請求項１記載の方法。
【請求項３】
前記１組のアクセス機構のそれぞれが、コーディング・スキーム、トランスポート層及び通信リンク・タイプを含む請求項１又は２記載の方法。
【請求項４】
使用可能なアクセス機構が、必要な最小容量、選択されたパラメータに関する１組の容量、及びデータのクラスに対する１組のパラメータのいずれをも含まないとき、アクセス機構の割り当てを拒否するステップを含む請求項１から３のいずれか一項に記載の方法。
【請求項５】
アクセス機構の使用可能なもののみが前記パラメータのうちの１つ又はそれより多い数のものに関して所定の過容量の複数のものから成るアクセス機構の割り当てを拒否するステップを含む請求項３又は４記載の方法。
【請求項６】
前記１組のアクセス機構をモニタリングして、どれが使用可能であるかを決定するステップを含む請求項１から５のいずれか一項に記載の方法。
【請求項７】
前記少なくとも１つのパラメータが、前記１組のアクセス機構のそれぞれの占有の程度であり、
各アクセス機構をモニタリングして、各アクセス機構から使用可能な容量を決定するステップを更に含む
請求項６記載の方法。
【請求項８】
前記少なくとも１つのパラメータが、データをそのクラスに従ってサポートするためのアクセス機構の品質である請求項６記載の方法。
【請求項９】
前記アクセス機構を前記パラメータに従ってモニタリングするステップを含む請求項８記載の方法。
【請求項１０】
前記データを前記アクセス機構の受信端でモニタリングするステップを含む請求項９記載の方法。
【請求項１１】
前記モニタリングに応答してデータの各クラスにとって使用可能であるアクセス機構上のデータベースを更新するステップを含む請求項６から１０のいずれか一項に記載の方法。
【請求項１２】
データを送信する方法において、
請求項１から１１のいずれか一項に記載のアクセス機構を割り当てる方法、及び
前記の整合の結果に従ってデータを前記アクセス機構の１つにルート付けし、それにより割り当てられたアクセス機構が前記１組のアクセス機構の利用に最適に適しているステップ
を含む方法。
【請求項１３】
複数の選択されたアクセス機構を用いて、複数のデータ構成要素を備えるデータを送信する送信機において、
入力に応答して、前記複数のデータ構成要素の第１のものを第１のアクセス機構に割り当て、且つ前記複数のデータ構成要素の少なくとも第２のものを第１のアクセス機構と異なる第２のアクセス機構に割り当てるルータと、
少なくとも１つのパラメータに関するアクセス機構の品質要件に従って各データ構成要素が属するクラスを表す信号を導出し、前記少なくとも１つのパラメータに従って等級分けされる１組のアクセス機構に対して前記クラスを整合させ、且つ前記の整合の結果に従って前記ルータのための入力を生成するよう構成された制御器と
を備える送信機。
【請求項１４】
前記制御器は、データ内のヘッダを読み出して、データが属するクラスを表す前記信号を導出するよう構成されている請求項１３記載の送信機。
【請求項１５】
前記制御器は、前記データとは別個の入力を受け取って、前記データが属するクラスを表す前記信号を導出するよう構成されている請求項１３記載の送信機。
【請求項１６】
前記制御器は、信号対雑音比、信号対干渉比、信号対雑音プラス干渉比、信頼度、帯域幅、遅延及び占有度から成るグループから選択された少なくとも１つのパラメータに従って前記アクセス機構を等級分けするよう構成されている請求項１３から１５のいずれか一項に記載の送信機。
【請求項１７】
前記制御器が、データベースを備え、且つデータの各クラスにとって使用可能なアクセス機構についての前記データベース内の情報を更新するよう動作可能である請求項１３記載の送信機。
【請求項１８】
前記制御器は、前記アクセス機構をモニタリングして、前記少なくとも１つのパラメータの状態を表す信号をフィードバックするよう構成されている請求項１３から１５のいずれか一項に記載の送信機。
【請求項１９】
前記制御器は、信号対雑音比、信号対干渉比、信号対雑音プラス干渉比、信頼度、遅延及び占有度を前記パラメータとして備えるグループから選択された少なくとも１つのパラメータをモニタリングするよう構成されている請求項１８記載の送信機。
【請求項２０】
前記制御器が、前記のモニタリング装置からのフィードバック信号に応答して前記データベースを更新するよう動作可能である請求項１８又は１９記載の送信機。
【請求項２１】
請求項１３から２０のいずれか一項に記載の送信機を備える通信ネットワーク。
【発明の詳細な説明】
【０００１】
［発明の属する技術分野］
本発明は、通信ネットワークを介した伝送のためアクセス機構をデータに割り当てることに関する。
【０００２】
［従来の技術］
様々な通信ネットワークについて、異なるアクセス機構を用いて、情報の異なるカテゴリを符号化し且つ配信することが可能である。アクセス機構は、ユーザ装置（例えば、移動電話機、固定電話機、パーソナル・コンピュータ、又は通信システムを通してアクセスを要求する他の装置）を接続する手段である。例えば、家庭の典型的な固定電話機は、市内交換局に対してハード・ワイヤリング（配線）されている。セルラ電話システムに対しては、アクセス機構は、基地局からの又はそれへのリンク（例えば、無線）、基地局制御器又は無線ネットワーク制御器からの又はそれへの前方リンク、及び送信及び受信を使用可能にする付随手順及びプロトコルを含むエアー・インターフェースである。
【０００３】
それを介して情報の異なるカテゴリを送ることができる通信ネットワークの一例は、ＵＭＴＳ（ユニバーサル移動通信システム）のような第３世代（３Ｇ）移動ネットワーク、又は汎用パケット無線サービス（ＧＰＲＳ）を組み込む増強型第２世代（２Ｇ）移動ネットワークである。これらは、一般的に、音声（ＧＰＲＳを用いないで）、音楽、ビデオ、及びテキスト通信を支援することができる。データは、ブロック又はパケットで送られ、そして受信機装置で再組み立てされ且つ復号される。典型的には、マルチメディア・サービスは、これらのカテゴリの一部又は全部からのデータ、及びオンライン・メッセージングのための追加のデータを含むであろう。データの各形式は、発生源又は受信側への中継点からの伝送（又は同報通信）のためデータを符号化する手段の異なる要件を有する。
【０００４】
マルチメディアを例に取ると、異なるデータ構成要素と関連した優先度は様々である。ビデオ・データは、送信されるデータにおける最小遅延及び高ビット速度の両方に対して要求の厳しい要件を有し得る。音声及び音楽（オーディオ）情報は、知覚されるサウンドの品質を損なうのを避けるため遅延に関して高い要求を置き得るが、しかしビット速度に関しては要求が少ない。テキスト・データは、それが受信側装置で組み立てられる前にバッファされることができるので、被送信情報における遅延に対してより耐性があるが、しかしデータを正確に送信するためのアクセス機構の保全性に非常に強く依存している。従って、データの１つのクラスのため伝送を最適化するよう設計されたアクセス機構は、別のクラスのクラスに関して用いられたときサービスの質に劣化を起こさせ、又は、逆にネットワークの容量を過度に浪費する場合がある。
【０００５】
アクセス機構の固有の（固定の）特性ばかりでなく、時間と共に変化する、及び／又はネットワーク・アクセス機構が用いられている環境において変化する特性もまたあり得る。
【０００６】
６４キロビット／秒のタイム・スロット化されたパルス符号被変調信号を用いるＩＴＵ−Ｔ勧告Ｇ．７０３，Ｇ７０４によりカバーされるような回線交換通信システムにおいて、所与の形式の情報の伝送のためスロットをプールすることが知られている。しかしながら、これは、同じアクセス機構に関してアクセス要件に対処するのみである。それは、送られるべき情報の形式の本質的に異なる要件同士間を区別しない。
【０００７】
［発明が解決しようとする課題］
本発明の一つの目的は、所与のネットワークを介して伝送されるべき異なる形式の情報の異なる要件に対処することである。
【０００８】
［課題を解決するための手段］
本発明の一実施形態に従って、送信側と受信側との間で送信されるべきデータに対してアクセス機構を割り当てる方法において、１組のアクセス機構のそれぞれを少なくとも１つのパラメータに従って等級分けするステップと、データの複数の構成要素を前記少なくとも１つのパラメータに関するアクセス機構の品質要件に従ってクラスに分類するステップと、前記の複数のデータ構成要素のそれぞれが属するクラスをアクセス機構の等級分けに整合させるステップと、前記の整合の結果に従って、前記の複数のデータ構成要素の第１のものを第１のアクセス機構に割り当てるステップと、前記の整合の結果に従って、前記の複数のデータ構成要素の少なくとも第２のものを第２のアクセス機構に割り当てるステップとを備える方法が提供される。
【０００９】
本発明は、データの各構成要素を、パラメータのそれ自身の要件に従って扱い、それに応じてアクセス機構を割り当てる。従って、最も適切で使用可能なアクセス機構を整合させて、ネットワーク効率に対抗してサービスの質を均衡させることが可能である。
【００１０】
アクセス機構の等級分けは事前定義され得る。その場合には、パラメータは、帯域幅のような、アクセス機構自身に固有であるパラメータであり得る。しかしながら、等級分けは、特定のアクセス機構がデータを送るため使用可能にされる間にパラメータがモニタリングされる意味において動的であることができるであろう。
【００１１】
典型的な交換可能なパラメータは、帯域幅、信号対雑音比、信号対干渉比、信号対雑音プラス干渉比、リンク遅延、アクセス機構占有度、ネットワーク層容量を含む。更に、アクセス機構が用いられる動的に変化する環境は、同様にモニタリングされることができる。その変化は、ネットワーク層の位置での環境変化に起因し、即ち、環境それ自身の変化、又はその環境内での送信側（送信者）又は受信側（受信者）の移動に起因し得る。
【００１２】
分類されたデータ構成要素は、そのクラスのデータに関して評価されるパラメータに従って使用可能なアクセス機構からの最低の許容可能なサービスの質と整合されることが好ましい。モニタリングされたパラメータに関して低い等級アクセスを要求するサービスを有する不適切に高い品質のアクセス機構を取ることは非効率である。本発明に従ってデータ構成要素をアクセス機構に割り当てることは、システムを効率的に維持することを意図している。
【００１３】
実際的事項として、分類されたデータをアクセス機構に整合させることは、その時間に使用可能なアクセス機構に依存するであろう。最も適したアクセス機構が使用不能である場合、本方法は、分類されたデータを、データの特定のクラスに関して、主要考慮であるパラメータ、又は２次考慮の更に別のパラメータに従って使用可能なアクセス機構に対して最良の適合を実行することを含み得る。しかしながら、また、本方法は、１つのクラスのデータがいずれの使用可能なアクセス機構により不適切にサポートされるであろうとき、又は唯一の使用可能なアクセス機構が許容できない程度までのネットワークの非効率な使用を表すとき、上記１つのクラスのデータにより特定のアクセス機構に対するアクセスを拒否する能力を含むことが好ましい。
【００１４】
１つの形式においては、本発明は、複数の選択されたアクセス機構を用いて、複数のデータ構成要素を備えるデータを送信する送信機において、入力に応答して、前記複数のデータ構成要素の第１のものを第１のアクセス機構に割り当て、且つ前記複数のデータ構成要素の少なくとも第２のものを第１のアクセス機構と異なる第２のアクセス機構に割り当てるルータと、少なくとも１つのパラメータに関するアクセス機構の品質要件に従って各データ構成要素が属するクラスを表す信号を導出し、前記少なくとも１つのパラメータに従って等級分けされる１組のアクセス機構に対して前記クラスを整合させ、且つ前記の整合の結果に従って前記ルータのための入力を生成するよう構成された制御器とを備える送信機を含む。
【００１５】
本発明はまた、上記で言及されたような送信機を有する通信ネットワークに拡張する。
本発明は、様々な方法で実行に移すことができ、それらの一部が、ここで一例として添付図面を参照して説明されるであろう。
【００１６】
【発明の実施の形態】
図１を参照すると、送信機は、ルータ１０及び制御器１２を備える。この例においては、システムは、１組のエアー・インターフェース・アクセス機構の接続使用に基づき、その１組のエアー・インターフェース・アクセス機構は、ＧＳＭ及びＧＰＲＳのような第２世代（２Ｇ）技術、ＧＳＭ展開（ＥＤＧＥ）に対する増強されたデータ速度のようないわゆる「２．５Ｇ」技術、及びＷＣＤＭＡ及びＴＤ−ＣＤＭＡのような第３世代（３Ｇ）技術を含む。この組における個々のアクセス技術は、回線交換及び／又はパケット・ベースの伝送に適するある範囲の異なるタイプのデータ特性をサポートすることができる。伝送のための到来データは、ルータ１０で入力ライン１４上において受信された複数のデータ構成要素Ｄ１、Ｄ２……Ｄｎを備える。制御器１２は、各入力ライン１４上でデータのタイプの識別（Ｍ１，Ｍ２……Ｍｎ）をモニタリングすることにより到来データをクラスに分類する。その識別は、データに識別子信号の形式で与えられる。ルータ１０は、制御器１２からの指令信号Ｃに応答して、データ構成要素を、エアー・インターフェース、符号化スキーム、及び／又はネットワーク又はトランスポート層を備える特定のアクセス機構に割り当てることができる。
【００１７】
識別は、データ・ストリーム内のヘッダ又はフィールドの形式であることができ、又は別個のしかし関連したチャネルに含まれることができる。制御器１２からの信号Ｃは、上記識別が関連する調製されたデータ構成要素をルータ１０から最も適切なアクセス機構Ａ１，Ａ２……Ａｎに指向させるよう該ルータ１０を構成する。アクセス機構Ａ１−Ａｎは、説明の目的のため図１において別個のラインとして示されている。様々な形式でのデータは、ネットワークを介して通常の要領で実際にパケット又は回線交換される。アクセス機構は、実際には、コーディング・スキーム、及び特定のクラスのデータのため指名された関連のトランスポート層及びリンクを備える。
【００１８】
例として、ラインＤ１上のデータは、制御器１２によりビデオ・データのクラスとして分類される。従って、最も適切なアクセス機構は、例えば、広帯域符号分割多元接続（ＷＣＤＭＡ）であり得て、それは、ビデオ・データ伝送における低遅延且つ高ビット速度の要件に起因して、ユニバーサル移動通信システム（ＵＭＴＳ）のオプションである。ラインＤ２上のデータは、制御器１２より、最小遅延を要求するがしかし比較的狭帯域である音声通信のクラスとして分類され得て、そして移動通信用グローバル・システム（ＧＳＭ）の時分割多元接続（ＴＤＭＡ）により最も有効に伝送されることができる。テキスト又は他のデータは、それが遅延に対して比較的耐性があるが、しかし信頼性良いデータ回復に対して高保全性伝送を要求するので、ＵＭＴＳの時分割−符号分割多元接続（ＴＤ−ＣＤＭＡ）オプション上で最も適切に搬送され得る。従って、全体のデータ信号は、ビデオ構成要素Ｄ１、オーディオ（音声）構成要素Ｄ２、及びテキスト（例えば、字幕スーパ）構成要素を備える。サービスのこれらの構成要素のそれぞれは、アクセス機構の異なる要件を有する。
【００１９】
これらは、使用可能なデータのタイプ及びアクセス機構の例であり、それらは、ネットワーク上へ切り換えられて接続される。同じカテゴリの中の別個のデータ・ストリームがまた伝送のため同時に送られ得ることが当業者には明らかであろう。更に、同じタイプの２以上のアクセス機構を設け得る。従って、任意の一時点で、データ伝送要件の１つのプロファイル及び使用可能なアクセス機構の１つのプロファイルがあるであろう。特定のカテゴリのデータに最も適したアクセス機構が使用可能であるとき、選定は直接的である。しかしながら、到来データが非最適なアクセス機構に割り当てられねばならない状況においては、選定は、修正された判定基準についてなされねばならない。システムを効率的に維持することに従った基本概念は、データのタイプをサポートするに十分に使用可能である最低級のアクセス機構を選定することである。従って、制御器１２は、次ぎに最も適切な使用可能アクセス機構をデータのタイプに割り当てるよう構成されている。特定のパラメータの品質上に置かれた優先度は、データの各クラスに対して異なるであろう。
【００２０】
データのタイプによる可能性のある優先度のリスト化の例が、次の表に与えられている。示された優先度は、決定版と呼ぶべきであることを意味せず、そして問題の数、及びそれらの相対的重要さ（例えば、技術的要因、コスト要因、環境要因）に依存して変わり得ることに注目されたい。従って、あるクラスのデータを特定のアクセス機構に割り当てるための判断は、それに対してルータがアクセスを有する１組のアクセス機構を取り巻く状況の影響を受けるであろう。
【００２１】
【表１】
2004507930.tif 000003
表において、「ハイパーＬＡＮ（ＨｉｐｅｒＬＡＮ）」は、ヨーロッパ技術標準協会（ＥＴＳＩ）により規定されたような無線ローカル・エリア・ネットワークを意味する。ワイヤードＬＡＮ（Ｗｉｒｅｄ　ＬＡＮ）は、通常のローカル・エリア・ネットワーク構成である。
【００２２】
到来データ構成要素に割り当てられることができる別のパラメータは、緊急性又は優先度のレベルである。データを階層的にこのようにクラスに更に分類することにより、それは、優先度アクセスを与えられ、及び／又は特に低遅延コーディング、トランスポート層、リンク等に割り当てられることができる。
【００２３】
制御器１２は、アクセス機構のデータベース及びそれらの使用を維持する。データベースを参照することにより、使用可能なアクセス機構を到来データの上記の分類化に基づいて割り当てることができる。また、いずれのアクセス機構も使用可能でない場合、又はいずれの適切なアクセス機構が使用可能でない場合もあろう。この後者の場合があるのは、使用可能なアクセス機構がデータのタイプをサポートすることができないからであり、又は使用可能なアクセス機構の使用がネットワークの許容できない使用を構成するであろう、例えば音声通信のための広帯域ケーブル・チャネルの使用がネットワーク容量の無駄遣いであるからである。この場合、制御器は、より適切なアクセス機構が使用可能になるまでそのデータのタイプに対するネットワークへのアクセスを拒否するよう構成されている。同じタイプの１組の使用可能なアクセス機構を有することは、著しくこのケースの発生確率を低減することに注目されたい。
【００２４】
データのタイプは、ルータ１０により適切な符号化スキームにルート付けされ、適切なアクセス機構（例えば、エアー・インターフェース（ａｉｒ　ｉｎｔｅｒｆａｃｅ））に送られ、そして通常の要領で送信される。アクセス機構を割り当てるステップ及びルータを構成するステップの手順は、図２のフロー・チャートに説明されている。
【００２５】
図３は、本発明に従った受信機を図示する。この例は、ビデオ、音声／音楽、及び低ビット速度のメッセージングを備えるマルチメディア・データを扱う１つの構成である。データのパケットは、アクセス機構に従って入力装置１６で受信され、Ａ１，Ａ２，Ａ３が、ここでは便宜のため、ビデオ、音声／音楽及びメッセージングのための別々のデータ・ストリームとして示されている。入力装置１６は制御器部分１８を含み、その制御器部分１８は伝送のため用いられるアクセス機構を識別する。次いで、データは、通常の要領で再組み立て及び復号され、そしてバッファ２０、２２及び２４に与えられる。通常のように、ビデオ及び音声／音楽データ・ブロック又はパケットはタイミング・マーカ（ｔ１，ｔ２）を有し、それらタイミング・マーカ（ｔ１，ｔ２）は同期化器２６に供給され、その同期化器２６は、必要ならば、バッファ２０及び２２のビデオと音声／音楽との出力を同期させて出力装置２８及び３０に出力する。なお、それら出力装置２８及び３０は、この実施形態においては、それぞれ表示装置及び音響再生装置である。
【００２６】
受信されたビデオ、音声／音楽及びメッセージングは、制御器１２により決定されるような１個のアクセス機構又は別のものによりサポートされたことが認められるであろう。受信機を、各形式のデータのための選択されたアクセス機構に従ってデータを受け入れるようセットアップするため、従来のメカニズムを用いて、送信機と受信機との間のリンクを、アクセス機構のための通常の実施に従って確立する。この手段により、適切なプロトコルが確立されて、マルチメディア受信をセットアップする。
【００２７】
前述したように、固有のアクセス機構パラメータと、そのアクセス機構を用いる環境と関連したそれらのパラメータとの両方に対して考慮を与えることができる。一旦アクセス機構が選択されそして実行され、且つリンクが上記で言及した可用性判定基準に従って確立されてしまうと、リンク品質がモニタリングされることができ、そして継続した判断が、伝送の間にアクセス機構を変えるに際して取られることができる。
【００２８】
この点に関して、図４は、本発明の更に別の実施形態を図示する。ルータ１０及び制御器１２は、おおざっぱに、図１におけるものと同じである。しかしながら、受信機で、データは、モニタリング装置４０により連続的に又は周期的に検査される。これは、例えば、データ誤り検査手順、信号対雑音及び／又は信号対干渉推定方法の使用によりデータをモニタリングするよう構成されている。その上、モニタリング装置４０は、受信機４４内に手動拒否ボタン４２を有する受信機に直接リンクされている。リンクの品質の劣化は、多くの場合、例えば、音声／音楽又はビデオ受信の場合に主観的である。従って、客観的なオンライン・データ誤り評価が前述のようにモニタリングにより実行されることができる間、本発明は、受信機ユーザが到来データの品質を拒否する、又は増強されたサービスの質を要求するための便宜を与える。手動拒否ボタン４２を作動することにより、オーバライドするアクセス機構変更要求が、ライン４６により図示されるように制御器１２に送り返される。ライン４６は、受信機へ戻る概念的経路を表すが、しかし特定の経路と考えるべきでない。送り返される実際の情報は、それにより送信機及び受信機が相互リンクされる使用可能なアクセス機構の１つを介して送信され得る。制御器１２は、使用可能なアクセス機構をポーリングし、そして拒否されたリンクが確立して以降より適切なアクセス機構が使用可能になった事象において一つのアクセス機構を別のアクセス機構と置換することにより応答する。より適切なアクセス機構が使用可能でない場合、助言のメッセージがテキスト・データとしてユーザへの表示のため受信機に送信される。
【００２９】
リンク劣化は様々な現象のためである。移動性アクセス（ｍｏｂｉｌｅ　ａｃｃｅｓｓ）により、環境が変わる機会が非常に増大される。例えば、受信機は、例えば、建物により生じる受信遮蔽部分がある建物が密集している区域内の位置に入れられることができる。従って、本発明のこの実施形態はまた、モニタリング及びフィードバックに応答して、同等のアクセス機構間で、又はセルラ・ネットワーク層間で交換することができる。当該技術において通常であるように、ＧＳＭ（ＧＰＲＳが動作している可能性がある。）又はＵＭＴＳのようなネットワークは、広域ネットワーク用途用マクロレイヤ、及び屋根より下の建物密集区域においてストリート・キャニオン（街路峡谷）環境でトラフィックを扱うよう典型的に構成されたマクロレイヤ、及び建物内のローカル・トラフィックのためのピコレイヤを備える。環境に応じて、本発明は、レイヤ同士間を、アクセス機構の構成部分として、適宜に交換するよう動作可能である。
【００３０】
本発明は、無線応用プロトコル（ＷＡＰ）システム、ブルートウース・ピコネット及びスカッタネット、及びｉＭＯＤＥ通信システム、及び異なるカテゴリのデータ及び異なるアクセス機構をサポートすることができる他の通信ネットワークに適用可能である。
【図面の簡単な説明】
【図１】図１は、本発明に従った伝送システムの略ブロック図である。
【図２】図２は、本発明の方法のフロー図である。
【図３】図３は、本発明に従った受信機の略ブロック図である。
【図４】図４は、本発明に従ったシステムの更に別の実施形態である。
【図１】
2004507930.tif 000004
【図２】
2004507930.tif 000005
【図３】
2004507930.tif 000006
【図４】
2004507930.tif 000007
【国際公開パンフレット】
2004507930.tif 000008
2004507930.tif 000009
2004507930.tif 000010
2004507930.tif 000011
2004507930.tif 000012
2004507930.tif 000013
2004507930.tif 000014
2004507930.tif 000015
2004507930.tif 000016
2004507930.tif 000017
2004507930.tif 000018
2004507930.tif 000019
2004507930.tif 000020
2004507930.tif 000021
2004507930.tif 000022
2004507930.tif 000023
2004507930.tif 000024
2004507930.tif 000025
2004507930.tif 000026
2004507930.tif 000027
2004507930.tif 000028
2004507930.tif 000029
【国際公開パンフレット（コレクトバージョン）】
2004507930.tif 000030
2004507930.tif 000031
【国際調査報告】
2004507930.tif 000032
2004507930.tif 000033
2004507930.tif 000034